(57)【特許請求の範囲】
【請求項１】
集合住宅の各階層において、住居の一部に集約した各種の要排水設備（Ｕ）の排水管（１）と接続する枝管（６、７、８）を設けた排水ヘッダー（２）を梁床（３）の貫通孔（３ａ）に旋回可能として設置し、各排水ヘッダー（２）の上部接続口（２ａ）に排水縦管（４）の下部接続口（４ｂ）を差し込んで固定すると共に、各排水ヘッダー（２）の下部接続孔（２ｂ）のフランジ（９）に設けた通孔（９ａ）と接続リング（１１）に設けた複数個のねじ孔（１１ａ）のうちの何れかとを合致させて、通孔（９ａ）からねじ孔（１１ａ）にボルト（Ｂ）をねじ込みフランジ（９）と接続リング（１１）を固定し、さらに各階層を貫く排水縦管（４）の上部接続孔（４ａ）のフランジ（１０）に設けた通孔（１０ａ）と前記接続リング（１１）に設けた複数個のねじ孔（１１ａ）のうち前記フランジ（９）の通孔（９ａ）に合致させたねじ孔（１１ａ）以外の何れかとを合致させて、通孔（１０ａ）からねじ孔（１１ａ）にボルト（Ｂ）をねじ込みフランジ（１０）と接続リング（１１）を固定することにより、前記各排水ヘッダー（２）に各階層を貫く排水縦管（４）をそれぞれ接続したことを特徴とする集合住宅における要排水設備の排水ヘッダーの設置構造。
【請求項２】
前記排水ヘッダー（２）の胴部（５）の外周を、シート状とした石綿（１２）を介し摺動自在として珪藻土成形板（１３）で囲み、この珪藻土成形板（１３）で囲んだ部分を梁床（３）の貫通孔（３ａ）に貫通させ、排水ヘッダー（２）の胴部（５）と貫通孔（３ａ）の間を珪藻土含有モルタル（１４）で固めることにより、排水ヘッダー（２）を梁床（３）の貫通孔（３ａ）に旋回可能として設置したことを特徴とする請求項１記載の集合住宅における要排水設備の排水ヘッダーの設置構造。
【発明の詳細な説明】
【０００１】
【発明の属する技術分野】
この発明は、マンション等の階層とした集合住宅における流し台、洗面台、浴槽、便器等の要排水設備の排水ヘッダーの設置構造に関するものである。
【０００２】
【従来の技術】
従来、この種の集合住宅における流し台、洗面台、浴槽、便器等の要排水設備を住居の一部に集約して設置させた構造は、先の特許出願において提案したものが存在する。この要排水設備の設置構造は、住宅のリフォーム時などに各要排水設備の配置を変更したい場合や要排水設備が老朽化して取り替える場合などには、各要排水設備が住居の一部に集約して設置されているため、配管工事に手間がかかることなく簡単に行え、工費も高くつかないものとなっている。
【０００３】
【発明が解決しようとする課題】
しかしながら、上記従来の集合住宅における要排水設備の設置構造では、要排水設備の排水管を接続する排水ヘッダーが梁床の貫通孔に固定されているため、この排水ヘッダーを旋回させることができず、リフォームした各要排水設備の配置によっては、それら要排水設備の排水管と排水ヘッダーの枝管とが配管するのに好ましくない向きとなる場合があり、配管工事に手間がかかることがあるという課題を有していた。
【０００４】
また、上記従来の集合住宅における要排水設備の設置構造では、前記排水ヘッダーが梁床の貫通孔にモルタルのみで直に固めることにより固定されているため、排水ヘッダー内を多量の水が流れた場合にはその騒音や振動が梁床に伝わり易いという課題を有していた。
【０００５】
そこで、この発明は、上記従来の課題を解決するものであり、要排水設備の排水管と排水ヘッダーの枝管とが配管するのに好ましくない向きとなっても、排水ヘッダーを旋回可能とすることにより両者の向きを合わせることができ、排水ヘッダー内を多量の水が流れた場合にもその騒音や振動が梁床に伝わり難い集合住宅における要排水設備の排水ヘッダーの設置構造を提供することを目的としてなされたものである。
【０００６】
【課題を解決するための手段】
そのため、この発明の集合住宅における要排水設備の排水ヘッダーの設置構造は、集合住宅の各階層において、住居の一部に集約した各種の要排水設備Ｕの排水管１と接続する枝管６、７、８を設けた排水ヘッダー２を梁床３の貫通孔３ａに旋回可能として設置し、各排水ヘッダー２の上部接続口２ａに排水縦管４の下部接続口４ｂを差し込んで固定すると共に、各排水ヘッダー２の下部接続孔２ｂのフランジ９に設けた通孔９ａと接続リング１１に設けた複数個のねじ孔１１ａのうちの何れかとを合致させて、通孔９ａからねじ孔１１ａにボルトＢをねじ込みフランジ９と接続リング１１を固定し、さらに各階層を貫く排水縦管４の上部接続孔４ａのフランジ１０に設けた通孔１０ａと前記接続リング１１に設けた複数個のねじ孔１１ａのうち前記フランジ９の通孔９ａに合致させたねじ孔１１ａ以外の何れかとを合致させて、通孔１０ａからねじ孔１１ａにボルトＢをねじ込みフランジ１０と接続リング１１を固定することにより、前記各排水ヘッダー２に各階層を貫く排水縦管４をそれぞれ接続したものとしている。
【０００７】
そして、この発明の集合住宅における要排水設備の排水ヘッダーの設置構造は、前記排水ヘッダー２の胴部５の外周を、シート状とした石綿１２を介し摺動自在として珪藻土成形板１３で囲み、この珪藻土成形板１３で囲んだ部分を梁床３の貫通孔３ａに貫通させ、排水ヘッダー２の胴部５と貫通孔３ａの間を珪藻土含有モルタル１４で固めることにより、排水ヘッダー２を梁床３の貫通孔３ａに旋回可能として設置したものとしている。
【０００８】
【発明の実施の形態】
以下、この発明の集合住宅における要排水設備の排水ヘッダーの設置構造の実施の形態を、図面に基づいて詳細に説明する。
【０００９】
図は、集合住宅の各階層において、各種の要排水設備Ｕを住居の一部（例えば住居の中央部など）に集約して、各階層の床下空間Ｓに前記要排水設備Ｕの排水管１を配設し、これら排水管１を接続した排水ヘッダー２を各階層の梁床３の貫通孔３ａに旋回可能として設置したものとしている。そして、前記各階の排水ヘッダー２に各階層を貫く排水縦管４をそれぞれ接続したものとしている。
【００１０】
要排水設備Ｕとしては、例えば図に示した洗面台Ｕ１や便器Ｕ２、その他に流し台や浴槽が挙げられるが、勿論これらに限定されるものではない。
【００１１】
排水ヘッダー２は、上下端を前記排水縦管４と接続する上部接続口２ａ、下部接続口２ｂとすると共に、大径とした胴部５の周囲に各要排水設備Ｕの排水管１と接続する枝管６、７、８を設けたものとしている。なお、上部接続口２ａの外周部には排水縦管４を固定するためのボルトＢが設けられ、下部接続口２ｂの外周には三方に通孔９ａを設けたフランジ９が設けられている。また、枝管６、７、８の接続口６ａ、７ａ、８ａ…の外周部には各要排水設備Ｕの排水管１を固定するためのボルトＢが設けられている。
【００１２】
排水縦管４は、外周をモルタルで被覆した合成樹脂管等からなる直管としており、上下端を排水ヘッダー２と接続する上部接続口４ａ、下部接続口４ｂとしている。なお、上部接続口４ａの外周には三方に通孔１０ａを設けたフランジ１０が設けられている。
【００１３】
そして、前記排水ヘッダー２に各階層を貫く排水縦管４をそれぞれ接続するには、以下のようにして行う。
【００１４】
先ず、各排水ヘッダー２の上部接続口２ａに排水縦管４の下部接続口４ｂを差し込みボルトＢで固定する。次に、各排水ヘッダー２の下部接続口２ｂのフランジ９に設けた通孔９ａと、接続リング１１に設けた複数個のねじ孔１１ａのうちの何れかとを合致させる。そして、これらの通孔９ｂからねじ孔１１ａにボルトＢをねじ込み、フランジ９と接続リング１１を固定する。さらに、各階層を貫く排水縦管４のフランジ１０に設けた通孔１０ａと、前記接続リング１１に設けた複数個のねじ孔１１ａのうち前記フランジ９の通孔９ｂに合致させたねじ孔１１ａ以外の何れかとを合致させる。そして、これらの通孔１０ａからねじ孔１１ａにボルトＢをねじ込み、フランジ１０と接続リング１１を固定する。このようすれば、前記各排水ヘッダー２に各階層を貫く排水縦管４をそれぞれ接続することができる。
【００１５】
そして、前記排水ヘッダー２の胴部５の外周を、シート状とした石綿１２を介し摺動自在として二つ割れの珪藻土成形板１３で囲み、この珪藻土成形板１３が外れないように針金Ｗで縛り、この珪藻土成形板１３で囲んだ部分を梁床３の貫通孔３ａに貫通させる。さらに、排水ヘッダー２の胴部５と貫通孔３ａの間を珪藻土含有モルタル１４で固めることにより、排水ヘッダー２を梁床３の貫通孔３ａに旋回可能として設置したものとしている。
【００１６】
この発明の集合住宅における要排水設備の排水ヘッダーの設置構造は、以上のように構成されているので、住宅のリフォーム時などに各要排水設備の配置を変更したときに、それら要排水設備Ｕの排水管１と排水ヘッダー２の枝管６、７、８…とが配管するのに好ましくない向きとなっても、次のようにして排水ヘッダー２を旋回し、その枝管６、７、８…の向きを変えることができる。
【００１７】
先ず、排水ヘッダー２の接続口２ａの外周部に設けたボルトＢを緩め、排水ヘッダー２の接続口２ｂのフランジ９に設けた通孔９ａから接続リング１１に設けたねじ孔１１ａにねじ込んだボルトＢを緩めて、このボルトＢを外す。すると、排水ヘッダー２は、その胴部の外周をシート状とした石綿１２を介して摺動自在として珪藻土成形板１３で囲まれているので、旋回可能となる。そして、この排水ヘッダー２が旋回可能となることにより、排水ヘッダー２の枝管６、７、８…の向きを要排水設備Ｕの排水管１と配管し易い向きにする。その後、前記排水ヘッダー２の接続口２ａの外周部に設けたボルトＢを締め、排水ヘッダー２の接続口２ｂのフランジ９に設けた通孔９ａと、接続リング１１に設けたねじ孔１１ａの何れかとを合致させ、これらの通孔９ａからねじ孔１１ａにボルトＢをねじ込み、フランジ９と接続リング１１を再び固定すればよい。
【００１８】
また、この発明の集合住宅における要排水設備の排水ヘッダーの設置構造は、排水ヘッダー２の胴部５を珪藻土成形板１３で囲むと共に、この排水ヘッダー２の胴部５とこの胴部５を貫通させた梁床３の貫通孔３ａとの間を珪藻土含有モルタル１４で固めたものとしているので、排水ヘッダー２内を多量の水が流れた場合にも、その騒音や振動がこの珪藻土含有モルタル１４に吸収され、梁床３に伝わり難いものとなる。
【００１９】
【発明の効果】
この発明の集合住宅における要排水設備の排水ヘッダーの設置構造は、以上に述べたように構成されており、要排水設備の排水管と排水ヘッダーの枝管とが配管するのに好ましくない向きとなっても、排水ヘッダーを旋回可能とすることにより両者の向きを合わせることができ、また排水ヘッダー内を多量の水が流れた場合にも騒音や振動が梁床に伝わり難い構造となり、騒音や振動の発生を効果的に抑制することのできるものとなった。
【図面の簡単な説明】
【図１】この発明における排水ヘッダーの設置構造を示す概略図である。
【図２】この発明における排水ヘッダーの設置構造を示す一部断面拡大図である。
【図３】この発明における排水ヘッダーと排水縦管との接続状態を示す斜視図である。
【図４】この発明における排水ヘッダーから排水縦管を外した状態を示す斜視図である。
【図５】この発明における排水ヘッダーの胴部による水平断面図である。
【符号の説明】
１  排水管
２  排水ヘッダー
２ａ  上部接続口
２ｂ  下部接続口
３  梁床
３ａ  貫通口
４  排水縦管
４ａ  上部接続口
４ｂ  下部接続口
５  胴部
６  枝管
７  枝管
８  枝管
９  フランジ
９ａ  通孔
１０  フランジ
１０ａ  通孔
１１  接続リング
１１ａ  ねじ孔
１２  石綿
１３  珪藻土成形板
１４  珪藻土含有モルタル
Ｕ  要排水設備
Ｂ  ボルト
【図１】
0004395858.tif 000002
【図２】
0004395858.tif 000003
【図３】
0004395858.tif 000004
【図４】
0004395858.tif 000005
【図５】
0004395858.tif 000006